(57)【要約】      （修正有）【課題】表示ユニットの放熱効率を向上することができる表示装置を提供する。【解決手段】表示ユニット２と、表示ユニットが収納される中ケース６と、中ケースの背後側に配置される回路基板４と、表示ユニット２と中ケース６と回路基板４とが収納された下ケース７とを備えた表示装置において、中ケース６は、表示ユニット２の背面に向かう底面部６１と、表示ユニットの側面を囲う側面部６２と、を備え、底面部６１は、側面部６２の近傍に孔部４１を有し、回路基板４の孔部４１に対応した箇所が切り欠かれた切欠き部６３を有している。【選択図】図２
2014164217.tif 000002
【特許請求の範囲】
【請求項１】
表示ユニットと、
前記表示ユニットが収納される中ケースと、
前記中ケースの背面側に配置される回路基板と、
前記表示ユニットと前記中ケースと前記回路基板とが収納された下ケースとを備えた表示装置において、
前記中ケースは、前記表示ユニットの背面に向かう底面部と、前記表示ユニットの側面を囲う側面部と、を備え、
前記底面部は、前記側面部の近傍に孔部を有し、
前記回路基板は、前記孔部に対応した箇所が切り欠かれた切り欠き部を有していることを特徴とする表示装置。
【請求項２】
前記底面部は、前記切り欠き部の周縁を囲うように前記回路基板に向かって突出した仕切片を有していることを特徴とする請求項１に記載の表示装置。
【請求項３】
前記孔部は、前記下ケースの通気孔に対応して設けられていることを特徴とする請求項１及び２に記載の表示装置。
【請求項４】
前記底面部は、前記表示ユニットが収納される際に、前記表示ユニットの背面との間に隙間を有するように段差部を有していることを特徴とする請求項１から３に記載の表示装置。
【発明の詳細な説明】
【技術分野】
【０００１】
本発明は、例えば自動車やオートバイの計器装置に搭載される表示装置に関し、特に表示ユニットの放熱構造に関する。
【背景技術】
【０００２】
この種の表示装置として例えば下記特許文献１に記載されたものが知られている。この表示装置は、上取付ボスと下取付ボスとを有する分割されたケースと、このケース内に収納される液晶表示ユニットと、液晶表示ユニットを配置するとともに、下ケースに固定される中ケースと、上取付ボスと下取付ボスを固定するビスとを備えた表示装置である。
【先行技術文献】
【特許文献】
【０００３】
【特許文献１】特開２００５−４９６０３号公報
【発明の開示】
【発明が解決しようとする課題】
【０００４】
しかしながら、前記特許文献１に記載の表示装置は、熱を放散するための放熱板を備えているが、十分な放熱とは言えず、効率の良い放熱方法が要望されていた。
【０００５】
そこで、本発明は前述した問題点に着目し、表示ユニットの放熱効率を向上することができる表示装置を提供することを目的とする。
【課題を解決するための手段】
【０００６】
本発明は、表示ユニットと、前記表示ユニットが収納される中ケースと、前記中ケースの背面側に配置される回路基板と、前記表示ユニットと前記中ケースと前記回路基板とが収納された下ケースとを備えた表示装置において、前記中ケースは、前記表示ユニットの背面に向かう底面部と、前記表示ユニットの側面を囲う側面部と、を備え、前記底面部は、前記側面部の近傍に孔部を有し、前記回路基板は、前記孔部に対応した箇所が切り欠かれた切り欠き部を有しているものである。
【０００７】
また本発明は、前記底面部は、前記切り欠き部の周縁を囲うように前記回路基板に向かって突出した仕切片を有しているものである。
【０００８】
また本発明は、前記孔部は、前記下ケースの通気孔に対応して設けられているものである。
【０００９】
また本発明は、前記底面部は、前記表示ユニットが収納される際に、前記表示ユニットの背面との間に隙間を有するように段差部を有しているものである。
【発明の効果】
【００１０】
本発明によれば、表示ユニットの放熱効率を向上することができる。
【図面の簡単な説明】
【００１１】
【図１】本発明の実施形態による表示装置の正面図。
【図２】同実施形態による表示装置にＡ−Ａ断面図（ハッチング省略）。
【図３】同実施形態による表示装置の斜視図。
【発明を実施するための形態】
【００１２】
本発明の実施形態を図１から図３に基づいて説明する。
【００１３】
表示装置は、上ケース１と、表示ユニット２と、緩衝部材３と、回路基板４と、中ケース６と、下ケース７とから主に構成されている。
【００１４】
上ケース１は、不透過性の合成樹脂から形成され、透視窓に透過性の前面ガラス１１が嵌め込まれ、内部に収納する表示ユニット２を透視できるようになっている。
【００１５】
表示ユニット２は、例えば、車両の走行距離や外気温等の車両情報を表示する液晶表示ユニットからなるものである。表示ユニット２は、ガラスエポキシ系もしくは紙フェノール系の基材を母材とした硬質の回路基板４と図示しないＦＰＣ等によって電気的に接続されている。
【００１６】
緩衝部材３は、例えば柔軟性を有する黒色の合成ゴムからなり、図２に示すように、表示ユニット２の周縁を囲うために対面するように配置されている。
【００１７】
中ケース６は、透過性合成樹脂からなり、表示ユニット２を収納するとともに、本実施例では、透過性の合成樹脂から一体成形された操作部６１１を備えている。
【００１８】
また、中ケース６は、表示ユニット２の背面に対応する底面部６１と、表示ユニット２の側面を囲う側面部６２と、を備え、底面部６１は、側面部６２の近傍に孔部６３を有し、
中ケース６の背面側には回路基板４が配置されている。回路基板４は、孔部６３に対応した箇所が切り欠かれた切り欠き部４１を有している。
【００１９】
底面部６１は、回路基板４に向かって突出した仕切片６４を有し、仕切片６４が、切り欠き部４１の周縁を囲うように設けられている。
【００２０】
また、底面部６１は、緩衝部材３が配置される箇所に段差部６１２を有し、表示ユニット２が収納される際に、表示ユニット２の背面側と段差部６１２との間に隙間を有するようになっている。本実施形態では、図２に示すように、底面部６１の補強のためのリブ６５を有している。
【００２１】
孔部６３は、後述する下ケース７の通気孔７１に対応して設けられていることによって、通気孔７１から外気を取り込むことができるとともに、計器内にこもった熱が通気孔７１から計器外に排出されることによって表示ユニットの放熱効率を向上する。
【００２２】
下ケース７は、不透過性の合成樹脂から形成され、見返し部材５と中ケース６とがビス留めなどによって一体固定されるビス穴を有している（図示せず）。また、切り欠き部４１を抜けた熱が放散されるように通気孔が設けられている。
【００２３】
このように構成される表示装置は、表示ユニット２から放出された熱が表示領域に影響しないようにするために、特に角部に放熱箇所を設けたことにより、効率よく放熱することができる。
【００２４】
このように、本実施形態は、前面ガラス１１を透過して視認される表示ユニット２と、表示ユニット２が収納される中ケース６と、中ケース６の背後に配置される回路基板４と、表示ユニット２と中ケース６と回路基板４とが収納された下ケース７とを備えた表示装置において、中ケース６は、表示ユニット２の背面に対応する底面部６１と、表示ユニット２の側面を囲う側面部６２と、を備え、底面部６１は、側面部６２の近傍に孔部６３を有し、回路基板４は、孔部６３に対応した箇所が切り欠かれた切り欠き部４１を有していることによって、表示ユニット２から放出された熱が回路基板に影響しないようになっている。
【００２５】
また、本実施形態では、底面部６１は、回路基板４に向かって突出した仕切片６４を有し、仕切片６４が、切欠き部４１の周縁を囲うように設けられていることによって、表示ユニット２から放出された熱は仕切片６４によって、回路基板４に向かいにくくなるので、表示ユニットの放熱効率を向上することができる。
【００２６】
また、本実施形態では、孔部６３は、下ケース７の通気孔７１に対応して設けられていることによって、表示ユニット２から放出された熱は、通気孔から入る外気に触れることができるので、表示ユニットの放熱効率を向上することができる。
【００２７】
また、本実施形態では、底面部６１は、表示ユニット２が収納される際に、表示ユニット２の背面側との間に隙間を有するように、段差部６１２を有していることによって、孔部６３と表示ユニット２背面との間に熱が通気する隙間ができるので、表示ユニットの放熱効率を向上することができる。
【符号の説明】
【００２８】
１    上ケース
２    表示ユニット
３    緩衝部材
５    見返し部材
６    中ケース
７    下ケース
２１  前面ユニット
４１  孔部
６１  底面部
６２  側面部
６３  切り欠き部
６４  仕切片
６５  リブ
７１  通気孔
６１１  操作部
６１２  段差部
【図１】
2014164217.tif 000003
【図２】
2014164217.tif 000004
【図３】
2014164217.tif 000005